Podtech/llm-jp-corpus-v4-ja_patent huggingface dataset:
(57)【要約】【課題】複合材料治具は、熱伝導性の向上などの目的で各層を別の材料で構成させており、図１に示すように、各層の熱膨張が異なるため、連結をすると、カンチレバー効果により、変形が生じており、精度の高い部品を固定するなどに支障をきたしていた。【解決手段】本発明は上記目的を達成するために，１層上の外周部分（１−２）に、下の層（２）と同じ材質の基板を用いることにより、下の層（２）と上の層（１−２）の連結部の熱歪みをなくする（温度が均一ならば歪みはない）ことにより、層間の熱歪みを解消する。そして、上層の内側基板（１−１）を、耐熱性を有しかつすべり易いＰＴＦＥ、ポリイミド、ＰＥＥＫなどの樹脂膜（１−３）などを用いて、外側基板（１−２）で保持することにより、下層（２）と上層（１）の変形をすべりにより変形量の差を吸収する構造を持つ。そのことにより、カンチレバー効果による変形を防ぐ。【選択図】図２
2016221941.tif 000002
【特許請求の範囲】
【請求項１】
１層上の外周部分に、下の層を同じ部品を用いることにより、変形を下の層と上の層の連結部の熱歪みをなくする（温度が均一ならば歪みはない）ことにより、層間の熱歪みを解消する構造。
【請求項２】
上層の内側と外側は、耐熱性を有しかつすべり易いＰＴＦＥ、ポリイミド、ＰＥＥＫなどの樹脂膜などで保持することにより、下層と上層の変形をすべりにより変形量の差を吸収する構造を持つ。そのことにより、カンチレバー効果による変形を防ぐ。
【請求項３】
上下の熱膨張関係が逆でも対応できる。
【請求項４】
上記の構造は、２層以上の多層構造にも適用可能である。
【請求項５】
内側の構造にも、適用可能である。
【請求項６】
上記の構造は，軸対称形状だけでなく，平板，棒などの構造にも，適用可能である。
【請求項７】
治具の各層の材質には、アルミ、ＳＵＳ、セラミック、銅、鉄、鉄系の合金、ヒーター、断熱版などを使用できる。また、外周で変形を滑らす膜は、ＰＴＦＥ，ポリイミド，ＰＥＥＫ，フッ素塗料、温度によっては、シリコン樹脂などが使用可能である。
【請求項８】
このような構造は，高精度の加温治具，ＭＥＭＳ，温度変化の激しい自動車部品，燃料電池などの構造体に利用が可能である。
【発明の詳細な説明】
【技術分野】
【０００１】本発明は，複合材料治具の加熱により生じる熱歪みを低減する構造に関する。
【背景技術】
【０００２】従来の複合材料治具は，加熱を行うと各層の部材の線膨張係数が異なるため、層間の膨張量が異なる。治具の各層は精度を保持するために固定しており、その固定部から各層の間に歪みを生成し、それが形状の変形をもたらしていた。精度の高い部品を保持する場合には、変形により高精度に保持できない場合がある。また、温度が高くなると、部材によっては破壊する部分もあった。
【先行技術文献】
【特許文献】
【０００３】
【特許文献１】被処理体の載置機構、特開２００４−３６３３７２伸縮吸収部材を設けて、熱変形を防止しているが、高精度要求の場合には、変形するため、精度低下や、温度差が大きいと、伸縮を吸収できないことがある。
【特許文献２】静電チャックを備えた基板保持体，特開２０１１−１５９６７８変形防止板を設ける方法のため，本提案とは根本的に異なる。
【特許文献３】ケース部構造，特開２００８−２３０３３５変形を防止する突起を設けており、本提案とは異なる。
【特許文献４】誘電体電極アクチュエータ，特開平０９−２８５１４３移動子全体が誘電体（絶縁体）で構成され，本提案の電界の加わり方が異なるため，駆動原理が異なる。
【特許文献５】多筒構造の高温高圧燃焼装置に用いる内筒の熱膨脹による歪変形防止装置，特開２００４−２１１９４１この方法は，冷却のための空気を導入して内筒５内の異常な高温高圧の発生を防ぐと共に層ごとの熱膨張に基づく伸長に起因する歪変形を防止しており、本研究はと異なる。
【特許文献６】超音波探触子及びその製造方法、特開平９−３２７０９６この方法は、変形防止材を挿入しており、本研究はと異なる。
【発明の概要】
【発明が解決しようとする課題】
【０００４】複合材料治具は、熱伝導性の向上などの目的で各層を別の材料で構成させており、図１に示すように、各層の熱膨張が異なるため、連結をすると、カンチレバー効果により、変形が生じており、精度の高い部品を固定するなどに支障をきたしていた。【０００５】本発明は，温度を上昇させて使用する高精度部品を把持する軸対称形状の治具などが有していた問題を解決しようとするものであり，熱膨張の差を変形に影響させない構造を提案すること目的とするものである。
【課題を解決するための手段】
【０００６】本発明は上記目的を達成するために，１層上の外周部分（１−２）に、下の層（２）と同じ材質の基板を用いることにより、下の層（２）と上の層（１−２）の連結部の熱歪みをなくする（温度が均一ならば歪みはない）ことにより、層間の熱歪みを解消する。そして、上層の内側基板（１−１）を、耐熱性を有しかつすべり易いＰＴＦＥ、ポリイミド、ＰＥＥＫなどの樹脂膜（１−３）などを用いて、外側基板（１−２）で保持することにより、下層（２）と上層（１）の変形をすべりにより変形量の差を吸収する構造を持つ。そのことにより、カンチレバー効果による変形を防ぐ。【０００７】上下の熱膨張関係が逆でも対応できる。【０００８】上記の構造は、２層以上の多層構造にも適用可能である。【０００９】内側の構造にも、適用可能である。【００１０】上記の構造は，軸対称形状だけでなく，平板，棒などの構造にも，適用可能である。【００１１】治具の各層の材質には、アルミ、ＳＵＳ、セラミック、銅、鉄、鉄系の合金、ヒーター、断熱版などを使用できる。また、外周で変形を滑らす膜（１−３）は、ＰＴＦＥ，ポリイミド，ＰＥＥＫ，フッ素塗料、温度によっては、シリコン樹脂などが使用可能である。
【発明の効果】
【００１２】各層を連結する部分が同一材質のため、カンチレバー効果による変形は防げ、耐熱滑り膜により、各層の熱膨張の差を吸収することが可能となり、従来の変形を１／２から１／３以下に減らすことが可能となった。
【図面の簡単な説明】
【００１３】
【図１】各層を別の材料で構成させた場合の熱膨張差による変形
【図２】各層を別の材料で構成させた場合にも、熱膨張差を吸収する構造で変形を押さえる構造
【発明を実施するための形態】
【００１４】各層を熱膨張率が異なる材料を用いても、連結部に同じ材料を用いることにより熱膨張差がなくなり、さらに、異なる材料間は、滑りやすい樹脂などで、押さえることにより、熱膨張差を逃がす構造を特徴とする。
【実施例】
【００１５】上層にセラミック、下層にアルミ、下層の下にヒーター、ヒータの下に断熱層の４層で、φ３００の円形形状の治具を作成し、３００℃に加熱したが、変形は全面で１ｍｍ以内に抑えることができた。
【産業上の利用可能性】
【００１６】このような構造は，高精度の加温治具，ＭＥＭＳ，温度変化の激しい自動車部品，燃料電池などの構造体に利用が可能である。
【符号の説明】
【００１７】１：上層基板
１−１：上層基板内側
１−２：上層基板外側
１−３：滑り易い樹脂
２：下層基板
【図１】
2016221941.tif 000003
【図２】
2016221941.tif 000004
(57)【要約】【課題】  一対の箸が一定の間隔をおいて動作できる構成にした箸使いの習得具を提供する。【解決手段】  一対の箸の上面から貫通軸穴を設け、他方の箸の上面からは複数の貫通穴を設け、硬質金属線で軸穴の間を結合して、箸の一方が他方の箸に対して一定間隔離れて貫通軸穴を中心に正確に回転して食事の際の食物を挟む際や刺す際に利便に使用できるようにしたことを特徴とする箸で、実際の使用の利便性と箸使いの習得に使用できる。【選択図】図１
2016221189.tif 000002
【特許請求の範囲】
【請求項１】
一対の箸の上面の手元寄りに平面から垂直に貫通穴を設け、他の箸には同じ手元位置に２個目の貫通穴を設け、更に３個目の穴を間隔を離した位置に開ける、そして、この箸の貫通穴を用いて金属線等にて箸の３か所の貫通穴を２本の箸の距離を保って結合する、それにより、一方の２個の穴のある箸に対して他方が１個の穴を中心に回転可能となり、双方の箸先が接する場合は同位置になるよう設定することにより、小粒の食品がはさめ、また箸同士が距離を持ち、一方が貫通穴を中心に回転するので箸先を広くして大きな食品を挟むことが出来る習い箸。
【発明の詳細な説明】
【技術分野】
【０００１】  本発明は、一対の箸にそれぞれ軸穴を設け、他の材料で結合した箸使いの習得および実用に用いる箸に関するものである。
【背景技術】
【０００２】  従来、人差し指と薬指にファスナー（商品名マジックテープ他）をつけ、および箸の必要部分にテープをつけて指の動きと箸の動きを連動させる箸があった。（特許文献１参照）また、双方の箸の間に軸回転を抑え、かつ長さ方向の水平回転を容易にするユニットをつけて箸の動きを制御する方法があった。（特許文献２参照）
【先行技術文献】
【特許文献】
【０００３】
【特許文献１】  特開２００１−２７５８１５
【特許文献２】  特開２０１４−１７６６０８
【発明の概要】
【発明が解決しようとする課題】
【０００４】  箸の使い方は、教育、指導されていない場合は箸の手元側を密着しての使用や、一対の箸の相対位置のずれを考慮せず、使用することが多い。この場合は、食物の大きな寸法のものが挟めなかったり、小粒の食物がつかみ難かったりする。これに対して、子供の頃に親や先輩が教えて、一方を親指周辺と薬指で固定し、他方を人差し指と中指、および親指の先端で中心よりも手元に近い方を中心に回転させながら食べ物を挿したり、挟んだりする様にさせていた。しかし不器用で対応できない子供や理解できない子供、運悪く教育されなかった人が存在する。これは、実際の食事においても不便であり、未学習の人々に早期にかつ容易に理解させ、習得させるべき課題である。また、海外より移転された方の箸使いの習得にも有効であり。本発明はこの問題の解決を実施するためになされたものである。特許文献１では粘着テープを用いて手と箸を連結して動作を学ぶ方法もあったが準備が面倒であった。特許文献２では箸同士を連結して平面での回転動作を行う方法もあったが、一方の箸を固定し、他方のみ回転させるという方法ではなかった。
【課題を解決するための手段】
【０００５】一対の箸の上面の手元寄りに平面から垂直に貫通穴を設け、他の箸には同じ手元位置に２個目の貫通穴を設け、更に３個目の穴を数ミリ離れた位置に開ける、そして、この箸の貫通穴を用いて金属線等にて箸の距離を保って３か所の貫通穴を結合する、それにより、一方の２個の穴のある箸に対して他方が１個の穴を中心に回転可能となり、双方の箸先が接する場合は同位置になるよう設定することができ、小粒の食品がはさめ、また箸同士が距離を持ち、一方が貫通穴を中心に回転するので箸先を広くして大きな食品を挟むことができる。
【発明の効果】
【０００６】一方の箸は回転せず、他方の箸が貫通穴を中心に水平に回転するので、箸を使用して食事をする際の箸全体の動作が幼児にも、また、外人や海外からの移転者にも理解でき、食事の際の大小の食材を挟む利便性が理解できる。また、何回か食事に使用することで自然に箸使いが覚えられ、一般の箸を使用する際の動作にも対応することが可能となる。また、作成が各種の木材やプラスチック材に対応できるので低価格で実現でき、集団での教育にも応用可能である。
【図面の簡単な説明】
【０００７】
【図１】  本発明の使用状態を示す斜視図である。
【発明を実施するための形態】
【０００８】（イ）  一対の箸の回転箸（１）の上面（６）に食事の際に食品を挟むための回転の中心      となる位置に垂直方向に回転軸穴（３）を設け、
（ロ）  一対の他方の箸の固定箸（２）の上面（６）に固定箸（１）とほぼ同位置に垂直      方向に固定穴（４）（５）を開け固定用の穴とし、
（ハ）  この回転軸穴（３）に対して金属針金等の動作支援金具（７）を通して箸の相互      位置を固定し、
（ニ）  動作支援軸金具（７）は硬質の金属線等を使用して回転軸穴（３）と固定軸穴（      ４）（５）を結合して３角形を形成し、回転箸（１）が回転軸穴（３）の支点を中      心にして水平に回転し箸先同士が正確に接触できるように設定する、
以上の様に構成された習い箸。
【符号の説明】
【０００９】１  回転箸
２  固定箸
３  回転軸穴
４  固定軸穴
５  固定軸穴
６  上面
７  動作支援金具
８  箸回転イメージ
９  回転範囲
【図１】
2016221189.tif 000003
(57)【要約】【課題】  雨の日、傘を傘バンドで束ねる時や、駅・建物に入る時、設置のビニール袋や各自の傘カバーに入れる際に、手が濡れる。束ねた傘を持って電車に乗っても、自分の洋服が濡れる。本発明はどんな太さの傘にも対応でき、手を濡らすことなく傘布を束ねることのできる傘リングを提供する。【解決手段】  リングに蝶番をつけ開閉可能にしたことで、どんな太さの傘にも対応し、リングの内側には、吸水性の布が設けてあるので、濡れた傘の石突きにリングを差し込み、柄を回しながらリングを傘バンドのあたりまでもってくる間に、水気をふきとり、そのまま傘布を束ねることができる傘リング。【選択図】図１
2016221188.tif 000002
【特許請求の範囲】
【請求項１】
２個の半円筒体を対向させて一側に蝶番を設け、蝶番を介して他の側を開閉自在とするリングであり、リング内側に吸水布を設けて、閉じた傘の先端より差し込み、柄の方へ引き上げたとき、傘布の表面の雨雫をふき取りながら、束ねた傘布を挟持する傘リング。
【発明の詳細な説明】
【技術分野】
【０００１】本発明は、リングに蝶番をつけ、開閉可能にし、どんな太さの傘でも束ねることが出来る傘リングである。リングの内側には吸水布が設けてあるので、雨に濡れた傘を、手を濡らさずに水気をふきとり、傘布を束ねておくことができる。小穴を設けてあるので、リングを使用していない時は、ジャンプボタンにかけられる傘リングに関するものである。
【背景技術】
【０００２】従来、雨の日に濡れた傘布を束ねる際、素手で傘バンドをもって傘布を束ねる。その傘を建物の入り口に設置してあるビニール袋や各々の傘カバーに入れるのにも手が濡れてしまうので、最後にハンカチ等で拭いていた。
【先行技術文献】
【特許文献】
【０００３】
【特許文献１】特開２００１−０９５６１２
【特許文献２】特開２０００−３４２３１５
【発明の概要】
【発明が解決しようとする課題】
【０００４】雨の日、傘バンドで傘布を束ねる時に手が濡れて不快だった。束ねた傘を傘カバーに入れる際も手が濡れてしまった。市販の傘にはさまざまな太さがあるため、どんな傘にも対応でき、手を濡らさず傘布を束ねるものがなかった。本発明は、この問題を解決するものである。
【課題を解決するための手段】
【０００５】傘リングの内側に吸水布を設け、蝶番を付けることにより、リングが開閉可能となる。蝶番の反対側の接合部の真ん中に小穴を設けジャンプボタンにかけることが可能である。以上の構成よりなる傘リング。
【発明の効果】
【０００６】本発明は、リングの内側に吸水布が設けてあり、濡れた傘の石突きにリングを差し込み、水気をふきとりながら傘バンドの位置までリングをもってきて、手を濡らさずに傘布を束ねることのできるリングである。蝶番を付けリングを開閉可能にしたことにより、どんな太さの傘にも対応できる。蝶番の反対側の接合部の真ん中に小穴を設け、傘のシャフトにあるジャンプボタンにかけられる。電車に座った時に膝の位置にリングがくるので、自分のズボンやスカートを濡らさずに済む。リングの外側をおしゃれにすれば、傘のアクセサリーとすることが出来る。
【図面の簡単な説明】
【０００７】
【図１】本発明の斜視図
【図２】本発明の開いた時を示す斜視図
【図３】本発明の断面図
【図４】本発明の使用状態を示す斜視図
【図５】本発明をジャンプボタンにかけている状態を示す斜視図
【発明を実施するための形態】
【０００８】以下、本発明の実施の形態を説明する。
（イ）  半円筒体が向き合って円筒体を形成するリング（１）は蝶番（３）を介して左右に開閉自由となる。
（ロ）  リング（１）の内側に吸水布（２）が設けてある。
（ハ）  蝶番（３）の反対側の接合部（５）の真ん中に小穴（４）を設けている。
本発明は、以上のような構造である。
本発明を使用する時は、リング（１）を傘の石突き（１１）に差し込み、リング（１）を持ち傘の柄（６）を回しながらリング（１）を柄（６）の方へ引き上げる。この時、リング（１）の内側に設けた吸水布（２）により、傘布表面に付着した水気を拭き取る。リング（１）は蝶番（３）で開閉可能にしたことで、どんな太さの傘にも対応できる。リング（１）を傘バンド（９）のあたりで留め、傘布を束ねた状態にしておける。傘をさしている時は、使わないリング（１）の小穴（４）をジャンプボタン（８）に掛ける。ジャンプボタン（８）がない傘の場合は、リング（１）を開いて鞄の持ち手などにかけることができる。
【符号の説明】
【０００９】１．リング、２．吸水布、３．蝶番、４．小穴、５．接合部、６．柄、７．シャフト、８．ジャンプボタン、９．傘バンド、１０．傘、１１．石突き
【図１】
2016221188.tif 000003
【図２】
2016221188.tif 000004
【図３】
2016221188.tif 000005
【図４】
2016221188.tif 000006
【図５】
2016221188.tif 000007
(57)【要約】【課題】肩が凝ったり、疲れている時など、容易に指先の指圧を行い、血液の循環をスムーズにしたり、ツボや神経を刺激して健康促進を促すように、指先の指圧器具を提供する。【解決手段】穴が開いた部分（１）を指に取り付け、球状の部分（２）の空洞内の空気を抜くことで、真空の状態をつくり、指先を吸圧することで指圧をする器具を特徴とする。【選択図】図１
2016221193.tif 000002
【特許請求の範囲】
【請求項１】
本発明の穴が開いた部分（１）を指に取り付け、球状の部分（２）の空洞内の空気を抜くことで、真空の状態をつくり、指先を吸圧することで指圧をする構造の器具。
【発明の詳細な説明】
【技術分野】
【０００１】  この発明は、本発明を指先に取り付け、指圧を行うものである。
【背景技術】
【０００２】  従来、指先を指圧する器具は拝見したことがなく、製品化されていないと思われる。
【先行技術文献】
【０００３】
【特許文献１】
【発明の概要】
【発明が解決しようとする課題】
【０００４】  これは、次のような欠点があった。
従来は、指先を吸圧・指圧するような器具はなく、自分自身又は他者が指先を摘まみ、指圧を行っており、指圧をする際に、力を入れて摘まむことを繰り返すことが難儀であり、容易に快楽や健康促進を得ることが難しかった。又、指先を指圧することが、健康促進に繋がるという意識が薄いこともあった。
本発明は、以上のような欠点をなくすためになされたものである。
【課題を解決するための手段】
【０００５】  本発明は、穴が開いた部分（１）を指に取り付け、球状の部分（２）の空洞内の空気を抜くことで、真空の状態をつくり、指先を吸圧することで指圧をする構造の器具である。
【発明の効果】
【０００６】    （イ）本発明は、軽い力で指先を吸圧し、指圧ができるので、容易に指先のマッサー        ジができる。
（ロ）本発明を使用することで、血液循環をスムーズにしたり、指先の様々なツボや        神経を刺激することで、身体全体の健康促進を図ることができる。
（ハ）本発明があることで、指先の指圧への意識が高まり、健康促進につながる。
【図面の簡単な説明】
【０００７】
【図１】本発明の正面図である。
【図２】本発明の平面図である。
【図３】本発明の断面図である。
【図４】本発明の使い方図である。
【発明を実施するための形態】
【０００８】  以下、本発明を実施するための形態について説明する。
円錐状の穴の開いた部分と球状（空洞）の部分が一体となったもの。
材質は、ゴムや樹脂素材等の弾力に富んだもの。
大きさは、円錐状の根元部分が指先にフィットするサイズ。
本発明は、以上のような構造である。
これを使用するときは、穴が開いた部分（１）を指に取り付け、球状の部分（２）の空洞内の空気を抜いて、真空の状態をつくり、指先を吸圧することで指圧を行う。
【符号の説明】
【０００９】    １  穴が開いた部分
２  球状の部分
【図１】
2016221193.tif 000003
【図２】
2016221193.tif 000004
【図３】
2016221193.tif 000005
【図４】
2016221193.tif 000006
(57)【要約】      （修正有）【課題】採血後のトラブル「内出血」を未然に防ぐ、止血医療用具を提供する。【解決手段】渦巻きの形にした輪の内端に突起を設け、腕など採血部位に巻いて使うもので、（イ）渦巻きの形を有する輪１、（ロ）輪１の一端に突起２を設け、以上の如く構成された止血医療用具。【選択図】図１
2016221195.tif 000002
【特許請求の範囲】
【請求項１】
（イ）渦巻きの形を有する輪（１）
（ロ）輪（１）の内端に突起（２）を設け
以上の如く構成された、止血医療用具。
【発明の詳細な説明】
【発明の詳細な説明】
【技術分野】
【０００１】  この発明は、腕などに巻いて使うもので、渦巻きの形にした輪の内端に突起を設け、腕など採血部位にかけて、採血後のトラブル「内出血」を未然に防ぐ、止血医療用具に関するものである。
【背景技術】
【０００２】  血液は健康状態をチェックするための貴重な情報源である。体のどこかに異常があったとき、血液の成分にも異常が観られる。そのため、採血による血液検査を定期的に受けることは大切である。しかし、採血や点滴の後、止血不足で内出血「青アザ」を起こす事で悩む人が多いようである。内出血の一番の理由は、採血部位をしっかり押さえないことによる「止血不足」である。採血というのは、血管の中に注射針を刺すわけですから、血管に穴が空いている状態で採血部位を放置すると、内出血が起きることもある。また、採血部位を揉んでしまうと、注射針の穴が開いてしまうので、内出血がひどくなるのである。
特に女性としては、腕に青アザができてしまうと美的にも大変である。また、外回りの営業マンで腕を見せるケースがある場合、腕が内出血していると取引先がびっくりしてしまう。
【発明が解決しようとする課題】
【０００３】  採血後の内出血は医療従事者としては日常茶飯事であるが、採血される側の体質もあるが、高齢者では皮膚の内側（皮下組織）が軟らかいため、漏れた血液が広がりやすい。主な原因は先ほど言った止血不足である。現時点では、採血後に採血された腕の反対側の手の指で採血部位を押さえて、血管を圧迫して血を止める「圧迫止血」を行っている。しかし採血部位をきちんと押さえないと、血管の穴から血液が皮膚の下に漏れてきて、内出血になるのである。でもしっかり止血するためには５〜１５分程度の時間が必要としている。その間に何にも出来ないのはつらい。トイレに行くことや、荷物を持って移動することもできない。そのために、１分程度しか押さえずに放してしまう人が多い。時々、このような「内出血」は医療トラブルの原因のひとつにもなっているのである。
本発明は、このような現状を改善するために開発されたものである。
【課題を解決するための手段】
【０００４】  本発明の構成を説明すると、
（イ）渦巻きの形の輪（１）
（ロ）輪（１）の内端に突起（２）を設け
以上のような止血医療用具である。
【発明を実施するための形態】
【０００５】  渦巻きの形を有する「止血医療用具」は、延びちぢみ性能がもたされたため、腕のサイズにあわせやすいので、子供から大人まで対応できる。
突起の部分（２）は指の代わりに採血部位にあてて使用する。
輪の挟む強さは指先で押さえて止血できる力と同じ強さに計算されている。
【発明の効果】
【０００６】  採血後の内出血（止血不足）は医療従事者側と患者側の間に医療トラブルの原因になっていることは事実である。これからの医療現場では、採血後、「止血医療用具」を腕に巻いて、採血部位に突起の部分（２）をあてるだけで、「圧迫止血」が簡単にできる。また、採血された後は、両手がすぐに自由に動けるため、患者側にしてみれば、採血後の「止血」による時間のロスが解消される。もちろん、採血処置室まわりの煩わしさも解消されるのである。
本発明は特に清潔面を考慮し、使い捨て用具とする。
【図面の簡単な説明】
【図１】  本発明の斜視図
【符号の説明】  １は輪
２は突起
【図１】
2016221195.tif 000003
(57)【要約】      （修正有）【課題】花を口の広い瓶に入れたとき，花が動き，固定する事ができなく，きれいに生けることができなかったので柔らかい素材を用いた花瓶用花留めを提供する。【解決手段】本体１は柔らかい素材を用い，大小の穴３を数個あける。大きな穴には１ヶ所切り込みを設け、広口花瓶に多量の花を生けて花が落ちそうな場合，付属の吸盤２を設けた。【選択図】図２
2016221209.tif 000002
【特許請求の範囲】
【請求項１】
柔らかい素材を設け（１），大小の穴を数個あける（２）。数個の大きな穴には１ヶ所切り込みを入れる（３）。広口花瓶に多量の花を生けて花が落ちそうな場合，付属の吸盤（４）を設けたことを特徴とする花瓶用花留めであある。
【発明の詳細な説明】
【技術分野】
【０００１】  この発明は，広口花瓶に少量の花を入れても花が動かない様に支えて，見栄え良く生ける事ができる花瓶用花留めに関する物である。
【背景技術】
【０００２】  従来，花を一輪，口の広い瓶に入れた場合，動いて，水切りをする度に茎が短くなり，固定することが出来なかった。
【先行技術文献】
【特許文献】
【０００３】
【特許文献１】
【発明の概要】
【発明が解決しようとする課題】
【０００４】  これは次のような欠点があった。従来水切をする度に茎が短くなり大きな花瓶に生けるのは難しかったので本発明は，以上のような欠点を無くすためになされたものである。
【課題を解決するための手段】
【０００５】  柔らかい素材を設け（１），大小の穴を数個あける（２）。数個の大きな穴には１ヶ所切り込みを入れる（３）。広口花瓶に多量の花を生けて花が落ちそうな場合，付属の吸盤を用いる（４）本発明は以上の構成よりなる花瓶用花留めであある。
【発明の効果】
【０００６】（イ）数本の花を入れても花が動かない様に支える事ができる。
（ロ）花が短くなっても固定する事によって下に落ちる事がない。
（ハ）長い間見栄え良く飾っておく事ができる。
（ニ）大小の茎でもさす事が出来る。
【図面の簡単な説明】
【０００７】
【図１】  本発明の全体図である
【図２】  本発明の断面図である
【図３】  本発明の断面図である
【発明を実施するための形態】
【０００８】  以下，本発明の実施の形態について説明する。柔らかい素材を用いて円形を作り（１），大小の穴を数個開けて（２）大きな穴には１ヶ所切り込みを入れる（３）。広口花瓶に多量の花を生けて花が落ちそうな場合付属の吸盤を設ける（４）本発明は以上のような構造である。本発明を使用するときには，柔らかい素材を設けるため，数本の花を入れても花が動かない。また花が短くなっても固定する事によって下に落ちない。しかも長い間見栄え良く飾っておく事ができ，大小の茎でも挿す事が出来る。
【符号の説明】
【０００９】    １  本体
２  取り外し可能吸盤
３  大小の穴
４  切り込み
【図１】
2016221209.tif 000003
【図２】
2016221209.tif 000004
【図３】
2016221209.tif 000005
(57)【要約】【課題】被施術者自身で頸部のストレッチを行うもので、構造が簡単で且つ使用において安全な頸部ストレッチ具を提供することにある。【解決手段】頸部ストレッチ具１０は板蒲鉾形で板蒲鉾様に上下２層が接合され、上層の首枕部２０は木質・硬質のウレタン・発泡スチロールなどで形成される。下層のクッション部２１はＢ側が高くＡ側が低く成形された柔らかく復元性のあるスポンジで形成される。被施術者が頸部ストレッチ具１０に、頸部を載せて行く過程でクッション部２１のスポンジが徐々に圧縮され上層の首枕部２０がＡ側端を軸に回転することで首枕部２０に接触した被施術者の頸部を牽引しストレッチする。【選択図】図１
2016221206.tif 000002
【特許請求の範囲】
【請求項１】
頸部ストレッチ具１０は、板蒲鉾形で板蒲鉾様に上下２層が接合され、上層の首枕部２０は木質あるいは硬質ウレタン・発砲スチロールなどで形成される。下層のクッション部２１はＢ側が高くＡ側が低く成形された柔らかく復元性のある発泡ゴムあるいは発泡ウレタンなどのスポンジで形成されていることを特徴とする頸部ストレッチ具。
【請求項２】
請求項１の頸部ストレッチ具１０において、首枕部２０の木質あるいは硬質ウレタン・発砲スチロールなどの上面に滑り止めが設けられていることを特徴とする請求項１に記載の頸部ストレッチ具。
【発明の詳細な説明】
【技術分野】
【０００１】  本発明は、被施術者自身が頸部のストレッチを行う場合に用いる頸部ストレッチ具に関するものである。
【背景技術】
【０００２】  ストレッチとは、筋肉を牽引することで、筋肉ならびに結合組織の柔軟性の改善、筋肉の緊張緩和、血流改善、神経機能の向上、筋萎縮の抑制などの効果があるとされ医療機関では頸肩部の不快症状、上肢の痺れ等に頸部の牽引ストレッチが行われます。【０００３】  さて、被施術者自身が頸肩部の不快症状の予防あるいは緩和の為にストレッチを行う場合には、被施術者自身の徒手による運動療法か、または簡易な頸部ストレッチ具を使用する方法があります。【０００４】  しかし、被施術者自身の徒手による運動療法は知識と経験が必要なため一般的ではありません。そこで、簡易な頸部ストレッチ具が多く利用され、簡易な頸部ストレッチ具が多数発明されている。【０００５】  特許文献１には、首指圧枕がありますが、頸部を牽引する力は小さく、ストレッチ効果は大きくなかった。また、特許文献２に記載される姿勢矯正具は、機構が複雑で製造コストが掛かるうえ構造体に指を挟む・髪を挟むなどの危険があった。【０００６】
【先行技術文献】
【特許文献】
【０００７】
【特許文献１】特願平１１−１５０８６３
【特許文献２】特願２００６−１３９５１５
【発明の概要】
【発明が解決しようとする課題】
【０００８】  本発明は、従来技術の上記問題を解決するためになされたものであり、目的は、被施術者自身が頸部のストレッチを行う為の、構造が簡単で且つ安全に頸部をストレッチすることの出来る頸部ストレッチ具を提供することにある。
【課題を解決するための手段】
【０００９】  上記課題を解決するために、本発明の頸部ストレッチ具１０は、板蒲鉾形で板蒲鉾様に上下２層が接合され、上層の首枕部２０は木質あるいは硬質ウレタン・発砲スチロールなどで形成される。下層のクッション部２１はＢ側が高くＡ側が低く成形された柔らかく復元性のある発泡ゴムあるいは発泡ウレタンなどのスポンジで形成される。【００１０】  スポンジが高く成形されたＢ側を頭頂部側にして、頸部ストレッチ具１０に被施術者が頸部を載せて行く過程でクッション部２１のスポンジが圧縮されると首枕部２０はＡ側端を軸に回転する。この回転が首枕部２０に接触した被施術者の頸部を牽引しストレッチする。
【発明の効果】
【００１１】  本発明の効果により、仰臥位になれる場所さえあれば、簡単に且つ安全に被施術者自身で頸部をストレッチして筋肉の緊張を緩和して血行が改善されるなどして肩こり、首こりの不快症状を緩和することが期待できる。
【図面の簡単な説明】
【００１２】
【図１】本発明の斜視図である。
【図２】本発明の使用開始時の図である。
【発明を実施するための形態】
【実施例】
【００１３】  次に本発明の実施の形態を図１および図２により説明する。図１は本発明の実施形態を示す頸部ストレッチ具１０の斜視図である。図２は本発明の使用開始時の図である。【００１４】  本発明の頸部ストレッチ具１０は板蒲鉾形で板蒲鉾様に上下２層が接合され、上層の首枕部２０は木質あるいは硬質ウレタン・発砲スチロールなどで形成される。【００１５】  下層のクッション部２１はＢ側が高くＡ側が低く成形された柔らかく復元性のある発泡ゴムあるいは発泡ウレタンなどのスポンジで形成される。【００１６】  本発明の使用法を図２により説明する。被施術者が仰臥位で本発明の頸部ストレッチ具１０のスポンジが高く成形されたＢ側を頭頂部側にして、被施術者の首を頸部ストレッチ具１０に載せていく。この過程で徐々にクッション部２１のスポンジが圧縮され、上層の首枕部２０はＡ側端を軸に回転して首枕部２０に接触した被施術者の頸部を牽引しストレッチする。
【符号の説明】
【００１７】  １０  頸部ストレッチ具
２０  首枕部
２１  クッション部
Ａ    頸部ストレッチ具Ａ側
Ｂ    頸部ストレッチ具Ｂ側
【図１】
2016221206.tif 000003
【図２】
2016221206.tif 000004
(57)【要約】【課題】  本発明は、軟膏剤、クリーム剤などの外用剤を患部に塗布する際の指先の衛生面、また塗布後の指先の汚れや外用剤による肌荒れの防止、および塗布後の汚れた指サックの廃棄を安全に行うことができる、カバーホルダー付き使い捨て指サックに関するものである。【解決手段】  本発明は、指サック１と指サックを覆うカバーホルダー２からなり、使用前は、滅菌済みの指サックがカバーホルダーの中に密封、収納されており、使用時には、使用する指を指サックに挿入して、カバーホルダーより指サックのみを抜いて使用し、使用後はその指サックを元のカバーホルダーに差し込み、元の位置に戻した後に指のみを外すことにより、指や手を汚さずに使用済みの指サックを廃棄することが出来る、カバーホルダー付き外用剤塗布用使い捨て指サック。【選択図】図４
2016221203.tif 000002
【特許請求の範囲】
【請求項１】
指サックと指サックを覆うカバーホルダーからなり、使用前は、滅菌済みの指サックがカバーホルダーの中に収まって密封されており、使用時には、外用剤を患部に塗布するのに使用する指を指サックに挿入して、カバーホルダーより指サックを抜いて使用し、使用後は使用済み指サックをカバーホルダーの元の位置に戻した後に指のみを外すことにより、指や手を汚さずに廃棄することが出来る、カバーホルダー付き外用剤塗布用使い捨て指サック。
【発明の詳細な説明】
【技術分野】
【０００１】  本発明は、軟膏剤、クリーム剤などの外用剤を患部に塗布する際に使用する衛生的で、塗布後の廃棄処理が簡便な、カバーホルダー付き使い捨て指サックに関するものである。
【背景技術】
【０００２】  従来、軟膏剤、クリーム剤などの外用剤を患部に塗布する場合、塗布前に手洗い消毒をして指を清潔にした後、外用剤を直に指の腹などにとり延ばして湿布し、塗布後に指についた外用剤をティッシュなどで拭うか、再度手洗いをしていた。【０００３】  また、異なる患部または異なる患者に異なる外用剤を塗布する場合、外用剤が混じらないように、また患者の皮膚の分泌物が他の患者に移るなどによる感染防止のため、一回の塗布ごとに手洗い消毒を行っていた。【０００４】  また、指サックを指に覆って外用剤を塗布する場合にも、使用後に指サックはもう一方の手で外すか、ティッシュなどで包んで廃棄した。
【発明の概要】
【発明が解決しようとする課題】
【０００５】  それには次のような問題があった。
（イ）外用剤の塗布作業の前と、作業の後に、いちいち手を洗う必要があり、作業効率が悪くなる。
（ロ）頻繁に手洗いや消毒をする事により、手荒れを起こす。
（ハ）ティッシュなどで指を拭いたり、指サックを包んで廃棄することにより資源の無駄や廃棄するゴミの量が増える。
（ニ）通常の指サックを使用後、もう一方の手で外す場合に指サック面に残留する患者の皮膚の分泌物や分泌物を含む外用剤に触れる事により感染する可能性がある。
【課題を解決するための手段】
【０００６】  指サックと指サックを覆うカバーホルダーからなり、使用前は、滅菌済みの指サックがカバーホルダーの中に密封、収納されており、使用時には、使用する指を指サックに挿入して、カバーホルダーより指サックのみを抜いて使用し、使用後はその指サックを元のカバーホルダーに差し込み、元の位置に戻した後に指のみを外すことにより、指や手を汚さずに使用済みの指サックを廃棄することが出来る、カバーホルダー付き外用剤塗布用使い捨て指サック。
【発明の効果】
【０００７】  本発明ではカバーホルダーに滅菌済み指サックが収納密封されており衛生的である。【０００８】  直に指の腹で外用剤を塗布する場合の頻繁の手洗いの煩わしさや手荒れが予防出来る。【０００９】  指を拭いたり、指サックを包んで廃棄する際に、ティッシュなどを利用する必要がないため、資源の無駄や廃棄するゴミの量が軽減できる。【００１０】  通常の指サックを使用した場合にティッシュなどで包んで使用済み指サックを廃棄する際に患者の分泌物に接触する可能性があるが、カバーホルダーを使って汚染された指サックを廃棄するため、感染する可能性を軽減できる。
【図面の簡単な説明】
【００１１】
【図１】本発明の断面図
【図２】本発明の開口部を広げた場合の側面図
【図３】本発明の構成を示す側面図
【図４】本発明の使用状態を示す側面図
【発明を実施するための形態】
【００１２】  本発明の実施するための形態について、図１から図４を利用して説明する。
本発明は、滅菌された指サック（１）と指サックが収納されたカバーホルダー（２）より構成されている。
指サック（１）は指サック接着部（３）でカバーホルダーの内面と剥がしやすい程度の強度で接着し、またカバーホルダーは開口部封入帯（４）で密封され、その外側には封入帯の延長部分の耳部（５）がある。
使用時には封入帯の耳部を外方向に開くと、カバーホルダーとその内側に接着された指サックが円柱状に広がり、指が指サックに入りやすい状態となる。
図４（６）に示すように指を指サックに挿入し、指サックがはまった状態で指を取り出すと、図４（７）に示すようにカバーホルダー内側から指サックが剥がされ取り出され、指サックをつけた状態での外用剤の塗布作業が可能となる。
塗布終了後、指に使用済み指サックがはまったまま、カバーホルダーに差し込み、指サックをカバーホルダー内に残したまま、指のみを引き出す。
カバーホルダーに納まった使用済み指サックは、指や手を汚さずに、しかもティッシュなどを使用せずに、そのまま廃棄できる。
【符号の説明】
【００１３】    １  指サック
２  カバーホルダー
３  指サック接着部
４  開口部の封入帯
５  開口部の耳部
【図１】
2016221203.tif 000003
【図２】
2016221203.tif 000004
【図３】
2016221203.tif 000005
【図４】
2016221203.tif 000006
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
開口部外側に剥がされ取り出されやすい程度の接着力でカバーホルダー内側に固定収納された滅菌済み指サックと、
開口部封入帯で密封され、開口部封入帯外側の延長部分の耳部を外方向に開くと、その内側に接着された指サックが円柱状に広がるカバーホルダーより構成されたホルダー付き指サック。
(57)【要約】      （修正有）【課題】旅行や外出する時に出来れば洋服や水着の色やデザインなどに合わせてサンダルなどの履物を持参したいが履物類は軽いがとてもスペースを取るので断念してしまう。一足で幾通りの色やデザインを簡単に変えることが出来るサンダルや草履などの履物を提供する。【解決手段】サンダルや草履などの履物のベルトや鼻緒の台座部分に透明素材を用いて足首側を開口して袋状に形成し、開口部を有するクリアベルト２と鼻緒飾り台座４を形成する。これらの袋状の内部に様々なカラーやデザイン化されたインナーベルト６やインナー鼻緒飾り７を設置するカラー＆デザインチェンジサンダル。【選択図】図１
2016221205.tif 000002
【特許請求の範囲】
【請求項１】
サンダルや草履などの履物を履いた状態において足の甲を左右に横切るベルトに透明素材を用い、履いた状態において、ベルト縁の足首側を開口して袋状に形成し、ベルト開口部を有するクリアベルトを形成し、鼻緒台座も透明素材を用い台座縁の手前側を開口し、袋状に形成して鼻緒飾り台座と成し、クリアベルの袋状の内部に様々なカラーやデザイン化されたインナーベルトを設置し、鼻緒飾り台座の内部にもカラーやデザイン化されたインナー鼻緒飾りを設置することを特徴とするカラー＆デザインチェンジサンダル。
【発明の詳細な説明】
【技術分野】
【０００１】  本発明は、女性用の履物に関するものである。
【背景技術】
【０００２】  旅行などで洋服や水着などの色によってサンダルなどの履物を持参したいが、スペースのないバックの事を考え、黒やベージュなどの無難な色の履物を履くか持参して出かけた。
【先行技術文献】
【特許文献】
【０００３】
【特許文献１】実願２００８−２０９７（Ｕ２００８−２０９７）
【発明の概要】
【発明が解決しようとする課題】
【０００４】  旅行や外出する時に出来れば洋服や水着の色やデザインなどに合わせてサンダルなどの履物を持参したいが履物類は軽いがとてもスペースをとるので断念してしまう。
本発明は、以上の問題点を解決するためのものである。
【課題を解決するための手段】
【０００５】  サンダルや草履などの履物を履いた状態において足の甲を左右に横切るベルトに透明素材を用い、履いた状態においてベルト縁の足首側を開口して袋状に形成し、ベルト開口部を有するクリアベルトを形成する。
鼻緒の台座も透明素材を用い、台座縁の手前側を開口し、袋状に形成して鼻緒飾り台座と成す。
クリアベルトの袋状の内部に様々なカラーやデザイン化されたインナーベルトを設置し、鼻緒飾り台座の袋状の内部にもカラーやデザイン化されたインナー鼻緒飾りを設置する。
以上の構成を特徴としたカラー＆デザインチェンジサンダルである。
【発明の効果】
【０００６】  従来は旅行や外出先などに洋服や水着や浴衣などの色に合わせてサンダルなどの履物を持参したり、バックにスペースがない理由で持参せず、黒やベージュなどの無難な履物を履いて出かけていたが、本発明により一つの履物で色々な色やデザインを楽しめる。
さらに色違いやデザイン違いの履物を購入しなくてすむため、経済的である。
カラーやデザインを変えるための中にセット出来るインナーベルトは簡単に出し入れでき、裏表を変えるだけでも色違いやデザイン違いなどにでき、ペディキュアなど足の指の装飾を目立たせる時などはインナーベルトをセットしないクリアベルトのままを含めて一足一セットで数通りを楽しめる。
洋服や水着など本人オリジナルの色や柄などのデザインもセット出来、ホワイトボードペンで文字やデザインも記入出来る素材をインナーベルトに装着すればプレゼント用などのメッセージも記入でき、世界で一つのオリジナルも出来る。
またマスキングテープなどでインナーベルトの裏や表に貼ったりはがしたりが簡単に出来るので外出先などでも色やデザインを変えることが簡単に出来る。
浴衣など同じ柄や和風の柄をセットすれば旅行先などに草履や下駄を持参したり、購入しなくてすみ、浴衣などの和装にも合う草履の替わりにすることも出来る。
さらにサンダルの場合は、外反母趾や内反小趾の方にもクリアベルトが足の親指や小指の付け根の骨が外側に突き出た部分に触れずに済むので、ベルトの刺激による炎症や痛みを起こさずに済む。
【図面の簡単な説明】
【０００７】
【図１】本発明において、本発明の一部であるインナーベルト及びインナー鼻緒飾りを外した状態を示す斜視図
【図２】本発明の実施における草履形態と本発明の一部であるインナーベルトを外した状態を示す斜視図
【発明を実施するための形態】
【０００８】  以下、本発明の実施の形態を説明する。
（イ）サンダル（１）に足の甲の部分に透明な袋状のベルトであるクリアベル（２）を設ける。
（ロ）鼻緒飾り台座（４）の部分に透明な袋状の飾り台を設ける。
（ハ）クリアベルト（２）のベルト開口部（３）に裏表が色違い、あるいは裏表が違うデザインなどのクリアベルト（２）より少し幅が狭く、長さも少し短めのインナーベルト（６）を装着する。
（ニ）インナーベルト（６）の出し入れは容易なので裏表だけでなく幾通りにも交換が可能である。
（ホ）鼻緒飾り台座（４）の鼻緒飾り台座開口部（５）にインナーベルト（６）と同様に鼻緒飾り台座（４）より少し小さめの裏表が色違い、あるいは裏表が違うデザインのインナー鼻緒飾り（７）を装着する。
（ヘ）草履形式で形成されても良い。
この場合は足の甲の部分のベルトを袋状のクリアベルト（２）にすれば、男性もデザインや色により容易に利用でき男女兼用にもなる。
本発明は以上のような構造である。
本発明を利用するときはインナーベルト（６）やインナー鼻緒飾り（７）に貼ったりはがしたりなどが容易に出来るマスキングテープやあらかじめ用意した別のインナーベルト（６）や別のインナー鼻緒飾り（７）などを外出先や旅行先に持参し、あるいは履いていけば、本発明の１足だけで洋服や水着や浴衣などの色やデザインなどの組み合わせが無限に可能である。
さらにインナーベルト（６）はホワイトボードペンで簡単に書き消しが出来る素材を用いれば記念日などのオリジナルメッセージやデザインも記入出来る。
【符号の説明】
【００９】［図１］
１  カラー＆デザインチェンジサンダル
２  クリアベルト
３  ベルト開口部
４  鼻緒飾り台座
５  鼻緒飾り台座開口部
６  インナーベルト
７  インナー鼻緒飾り
８  草履
【図１】
2016221205.tif 000003
【図２】
2016221205.tif 000004
(57)【要約】【課題】８０年間継続発生した喘息を食用黒色ブドウ内のゲル態物で完全に排除する。【解決手段】    黒色ブドウ内のゲル態物から［３・５・４′・トリヒドロキシ・トタンス・スチルベン−ペクチン結合体を取り出し、それを数日摂取すると喘息は体内から排除された。【効果】  喘息の永久排除に連れて、風邪引き体質も、永久消失した。また、モーニング・エレクションの発生、高齢者体質の改善、認知症の改善がみられた。【特許請求の範囲】
【請求項１】
治療困難な喘息を、「３・５・４′・トリヒドロキシ・トランス・スチルベン−ペクチン結合体」を含有する食用黒ブドウ内のゲル状物質で永久排除する方法。
【請求項２】
認知症体質の改善を、「３・５・４′・トリヒドロキシ・トランス・スチルベン−ペクチン結合体」を含有する食用黒ブドウ内のゲル状物質で実施する方法。
【発明の詳細な説明】
【発明の詳細な説明】
【０００１】
【技術分野】
【０００２】  無加熱、無発酵の新分野の製品なので、医薬品でも食品でもない。新分野の製品開発である。
【背景技術】
【０００３】  類似した従来技術はない。当初、長寿遺伝子活性剤として開発したが、人の寿命は測定不可能なので、新規な技術を考案した。
【発明の概要】
【本発明が解決しようとする課題】
【０００４】  喘息を完全に消滅させることを目的とした。治療ではなく、完全消滅である。
【課題を解決するための手段】
【０００５】  大型の種なし黒色ブドウ５個分の果肉を採取し、喘息持ちの開発者が、１日、１回摂取したら、１０日後位に、喘息が体外に弾き出された。８８歳の秋のことである。９１歳の現在も再発はない。永久追放と言える状態である。
【発明を実施するための形態】
【０００６】  その冬になったが、例年出ていた風邪も引っ込んだ。これも永久退散である。
喘息退散に気を良くして飲用を続けていたら、モーニング・エレクションが現われた。
在米中に同じ病院にいた老人専用医から、モーニング・エレクションは、ベツトから立上がると消えるので、鬱血の一種と聞いた。若返り現象ではないのだ。
【発明の効果】
【０００７】  ８０年間苦しんだ喘息が、外へ飛び出した。わたしの知る限りでは、喘息の一時的改善は有るが、永久追放は初めてだ。
(57)【要約】      （修正有）【課題】車椅子を使用する身障者が、トイレの用を足すのに間に合わず漏らしてしまった場合に、周囲の人に臭いで迷惑を掛けるという気兼ねを軽減できるようにする。【解決手段】身障者の体を車椅子２ごと覆える脱臭マント本体１の裏に脱臭剤（オルガヘキサ）を装着し、マントの裾にひも３を設ける。トイレが間に合わなかったときには、車椅子に座ったままで、車の部分を除いた全体をマントで覆い、車椅子ごと縛ることでマント内の脱臭効果を高め、マント内の臭気ができるだけ外に漏れないようにする。【選択図】図１
2016053234.tif 000002
【特許請求の範囲】
【請求項１】
体を車椅子（１）ごと覆える脱臭マント本体（１）を設け、マント内の臭気をできるだけ外に漏れないようにマントの裾にひも（３）を設け、マントの裏（４）に脱臭剤（オルガヘルサ）（５）を設けたことを特徴とする車椅子用緊急時の脱臭マント。
【発明の詳細な説明】
【技術分野】
【０００１】  本発明は、障害者が車椅子を使用するときに、往々にしてトイレに間に合わず漏らしてしまうことがあり、脱臭マントを使用して、周囲の人に臭いで迷惑を掛けるという気兼ねを軽減できるように工夫した車椅子用緊急時の脱臭マントに関するものである。
【背景技術】
【０００２】  従来のものは、マントの中に消臭剤吹き付けるという方法しかなかったが、これでは、一時的に臭いを防ぐだけで、すぐに、消臭剤の効果はなくなるので、あまり効果は期待できなかったが、災害時の携帯トイレを使用するときの目隠しマントの中に脱臭効果の高いオルガヘキサという布の炭を貼ることで長時間の脱臭が可能になった。
【先行技術文献】
【特許文献】
【０００３】
【特許文献１】  特開２００２−２１２８０８号公報
【発明の概要】
【発明が解決しようとする課題】
【０００４】  従来より、次の様な問題点があった。
（イ）車椅子を使用している人は、身体が不自由なことにより、トイレの用を足すのに間    に合わないことがあった。
（ロ）家に帰って始末をするまで外出先で、とくに、乗り物やエレベーターの中では、他    人への臭いの気兼ねは大変なものであった。
（ハ）長時間車椅子に座って居るので、体の痛みやコリ等の不調が出ることがある。
本発明は以上の問題点を解決しようとするものである。
【課題を解決するための手段】
【０００５】  体を車椅子（１）ごと覆える脱臭マント本体（１）を設け、マント内の臭気をできるだけ外に漏れないようにマントの裾にひも（３）を設け、マントの裏（４）に脱臭剤（オルガヘルサ）（５）を設けたことを特徴とする車椅子用緊急時の脱臭マント。
【発明の効果】
【０００６】（イ）車椅子の人が外出先で、トイレが間に合わなかったとき、オルガヘキサを装着した    マントで車椅子に座ったままで、車の部分を除いた全体を覆うことで脱臭効果を高め    た。
（ロ）家に帰って漏れてしまった物の後始末をするまで臭いが、気になっていた。
外出先では、とくに、乗り物やエレベーターの中で気になっていた。
他人への臭いの気兼ねは大変なものであったが、脱臭マントを装着することで、そ    の悩みへの軽減効果は大きい。
（ハ）長時間座ったままで車椅子を使用するときには、体の痛みコリなどが生じやすいが    、オルガヘキサの遠赤外線の健康効果が有効である。
【図面の簡単な説明】
【０００７】
【図１】  本発明の使用状態を示した説明図である。
【図２】  本発明の平面図である。
【発明を実施するための形態】
【０００８】  以下、本発明の実施の形態を説明する。
体を車椅子（１）ごと覆える脱臭マント本体（１）を設ける。
マント内の臭気をできるだけ外に漏れないようにマントの裾にひも（３）を設ける。
マントの裏（４）に脱臭剤（オルガヘルサ）（５）を設ける。
本発明は以上のような構造である。
本発明を使用するときは、マントの裾に紐を装着し、車椅子ごと縛り、マント内の脱臭効果を高めるためと、マントの長さを調節できる。
非常時、携帯トイレを使用するときの目隠し用のマントの中に、脱臭効果の高いオルガヘキサという布の炭を貼ることで長時間の脱臭が可能になった。
【符号の説明】
【０００９】１  脱臭マント本体
２  車椅子
３  ひも
４  マントの裏
５  脱臭剤（オルガヘルサ）
【図１】
2016053234.tif 000003
【図２】
2016053234.tif 000004